(57)【要約】【課題】  任意の帽子に利用可能であり、帽子が遠くに吹き飛んでしまうことを防止するだけでなく、帽子が脱げてしまうことも防止する。【解決手段】  第１紐状部材２および第２紐状部材３と、２つ折りの状態の前記両紐状部材２、３を束ねて両紐状部材２、３の保持位置を移動可能に保持することにより、一端側に両紐状部材２、３の輪状部分７がそれぞれ配置され、他端側に両紐状部材２、３の両端部分がそれぞれ配置される中間束部材としてのコードストッパ５と、両紐部材における輪状部分７において第１紐状部材２および第２紐状部材３の保持位置を移動可能に保持する２つの輪状部束部材としての環状部材と、両紐部材における両端部分のうち少なくとも１本の紐状部材に取り付けられる保持部材としてのクリップを有する。【選択図】      図１
2011106062.tif 000002
【特許請求の範囲】
【請求項１】
第１紐状部材および第２紐状部材と、
２つ折りの状態の前記両紐状部材を束ねて前記両紐状部材の長手方向における保持位置を移動可能に保持することにより、一端側に前記両紐状部材の輪状部分がそれぞれ配置され、他端側に前記両紐状部材の両端部分がそれぞれ配置される中間束部材と、
前記両紐部材における前記輪状部分において前記第１紐状部材および前記第２紐状部材の長手方向における保持位置を移動可能に保持する２つの輪状部束部材と、
前記両紐部材における前記両端部分のうち少なくとも１本の紐状部材に取り付けられる保持部材とを有することを特徴とする多機能帽子用留め具。
【請求項２】
前記保持部材を第１保持部材とし、
前記両紐部材における前記輪状部分のうちの１本の紐状部材に取り付けられる第２保持部材を有することを特徴とする請求項１に記載の多機能帽子用留め具。
【請求項３】
前記第２保持部材を、前記輪状部分のうちの１本の紐状部材における中央部に固定して取り付けることを特徴とする請求項２に記載の多機能帽子用留め具。
【請求項４】
前記第２保持部材を、取り外し可能に取り付けることを特徴とする請求項３に記載の多機能帽子用留め具。
【発明の詳細な説明】
【技術分野】
【０００１】
本発明は、帽子が脱げてしまったり遠くに吹き飛んでしまうことを防止する多機能帽子用留め具に関する。
【背景技術】
【０００２】
従来より、頭部に装着した帽子が、運動時や風等により頭部から脱げてしまったり、遠くに吹き飛んでしまうことを防止するため、様々な帽子や器具が考えられている。
【０００３】
頭部から脱げてしまうことを防止する帽子としては、従来より、帽子の内部における左右の側面部に顎紐が掛け渡された帽子が多用されている。この帽子によれば、装着時にこの顎紐を下顎にかけることにより脱げてしまうことを防止することができるその他、例えば、特許文献１に示すような、顎紐の両端部がそれぞれ帽子の内部における左右側面の中心位置よりも後方に取り付けられた帽子が考えられている。この特許文献１に記載の発明に係る帽子によれば、この顎紐を後頭部に掛けることにより脱げてしまうことを防止することができる。
【０００４】
また、帽子が遠くに吹き飛んでしまうことを防止する帽子および器具としては、従来より、紐の両端部にそれぞれクリップが取り付けられた器具が多用されている。この器具によれば、一方のクリップにより洋服の襟等を挟持し、他方のクリップにより帽子の縁部を挟持することにより、帽子が頭部から脱げてしまった場合であっても、遠くに吹き飛んでしまうことを防止することができる。その他、例えば特許文献２に示すような、連結紐の一端が帽子のサイドクラウンに固定され、他端にクリップが取り付けられた帽子が考えられている。この帽子は、前記連結紐がサイドクラウンに形成されたベルトの内側に収納され、ブリムまたはサイドクラウンに形成された紐通し孔を介して帽子下面へ引き出し可能とされており、この帽子によれば、クリップによって襟等を挟持することにより、帽子が遠くに吹き飛んでしまうことを防止することができる。さらに、特許文献３に示すような、一端に引き輪が取り付けられ他端に丸カンが取り付けられたネックレスと、一端に丸カンが取り付けられ他端にクリップが取り付けられてネックレスの一端に接続される支持体と、一端に引き輪が取り付けられ他端にクリップが取り付けられてネックレスの他端に接続される支持体とを備えたネックレス兼用の多機能帽子用留め具が考えられている。この留め具によれば、ネックレスを首に掛け、両クリップによって帽子を挟持することにより、帽子が遠くに吹き飛んでしまうことを防止することができる。
【先行技術文献】
【特許文献】
【０００５】
【特許文献１】特開２００７−２０４８９８号公報
【特許文献２】特開２００２−３０２８２３号公報
【特許文献３】実用新案登録第３０９８０８３号公報
【発明の概要】
【発明が解決しようとする課題】
【０００６】
しかし、前述の顎紐が掛け渡された帽子や、特許文献１および特許文献２に記載された両発明に係る帽子によれば、顎紐や連結紐は帽子に一体に取り付けられており、このため、前記顎紐や連結紐が取り付けられていない帽子には利用することができないという問題を有していた。
【０００７】
また、前述の紐の両端部にそれぞれクリップが取り付けられた器具や、特許文献３に記載された発明に係る留め具によれば、帽子が遠くに吹き飛んでしまうことを防止することはできても、帽子が脱げてしまうことを防止することができないという問題を有していた。
【０００８】
本発明はこれらの点に鑑みてなされたものであり、任意の帽子に利用可能であり、帽子が遠くに吹き飛んでしまうことを防止するだけでなく、帽子が脱げてしまうことも防止することが可能な多機能帽子用留め具を提供することを目的とする。
【課題を解決するための手段】
【０００９】
前記目的を達成するため、本発明に係る多機能帽子用留め具の特徴は、第１紐状部材および第２紐状部材と、２つ折りの状態の前記両紐状部材を束ねて前記両紐状部材の長手方向における保持位置を移動可能に保持することにより、一端側に前記両紐状部材の輪状部分がそれぞれ配置され、他端側に前記両紐状部材の両端部分がそれぞれ配置される中間束部材と、前記両紐部材における前記輪状部分において前記第１紐状部材および前記第２紐状部材の長手方向における保持位置を移動可能に保持する２つの輪状部束部材と、前記両紐部材における前記両端部分のうち少なくとも１本の紐状部材に取り付けられる保持部材とを有する点にある。
【００１０】
本発明によれば、両輪状部束部材を移動させて両輪状部束部材の間の輪の大きさを調整したり、中間束部材を移動させて両紐状部材の輪状部分の大きさを調整して、両輪状部束部材の間の輪や両紐状部材の輪状部分を帽子のクラウンに嵌めることにより、任意の帽子に装着することができるとともに、首に掛けたりすることができる。また、保持部材によって任意の帽子のクラウン、つば、バックベルト、さらには服の襟等や、その他任意のものを挟持することができる。
【００１１】
また、本発明に係る多機能帽子用留め具の他の特徴は、前記保持部材を第１保持部材とし、前記両紐部材における前記輪状部分のうちの１本の紐状部材に取り付けられる第２保持部材を有する点にある。
【００１２】
このような構成を採用することにより、第１保持部材および第２保持部材のいずれか一方によって、帽子のクラウン等を挟持し、他方によってネームプレート等の任意のものを挟持することができ、多機能帽子用留め具としての機能のほか、ホルダとしての機能を発揮することもできる。
【００１３】
また、前記第２保持部材を、前記輪状部分のうちの１本の紐状部材における中央部に固定して取り付けてもよい。これにより、例えば、第１保持部材によって任意のものを挟持し第２保持部材によって帽子を挟持する際の第２保持部材の位置決めの容易化を図ることができる。
【００１４】
さらに、前記第２保持部材を、取り外し可能に取り付けてもよい。これにより、第２保持部材を利用しない場合には取り外して多機能帽子用留め具を使用することができる。
【発明の効果】
【００１５】
以上述べたように、本発明に係る多機能帽子用留め具は、大きさや形状等が異なる種々の任意の帽子に利用することができ、帽子が遠くに吹き飛んでしまうことを防止することができるとともに、両輪状部束部材の間の輪や両紐状部材の輪状部分を帽子のクラウンに嵌めて使用することにより、帽子が脱げてしまうことも防止することができる。さらに、帽子用留め具としてのみならず、ホルダ等の他の用途に用いることも可能である。
【図面の簡単な説明】
【００１６】
【図１】本発明に係る多機能帽子用留め具の一実施形態を示す斜視図
【図２】図１に示す多機能帽子用留め具の使用態様の一例を示す概説図
【図３】図１に示す多機能帽子用留め具の使用態様の他の例を示す概説図
【図４】図１に示す多機能帽子用留め具の使用態様のさらに他の例を示す概説図
【図５】図１に示す多機能帽子用留め具の使用態様のさらに他の例を示す概説図
【図６】図１に示す多機能帽子用留め具の両端部分に眼鏡のつるを掛けた状態を示す概説図
【図７】本発明に係る多機能帽子用留め具の他の実施形態を示す斜視図
【図８】図７に示す多機能帽子用留め具の使用態様の一例を示す概説図
【図９】図７に示す多機能帽子用留め具の使用態様の他の例を示す概説図
【図１０】図７に示す多機能帽子用留め具の使用態様のさらに他の例を示す概説図
【図１１】図７に示す多機能帽子用留め具の使用態様のさらに他の例を示す概説図
【発明を実施するための形態】
【００１７】
以下、本発明に係る多機能帽子用留め具の一実施形態を図１乃至図８を参照して説明する。
【００１８】
図１は、本実施形態に係る多機能帽子用留め具の一実施形態を示す斜視図であり、図１に示すように、本実施形態に係る多機能帽子用留め具１は、それぞれ１本の紐からなる第１紐状部材２および第２紐状部材３を有している。なお、本実施形態においては、第１紐状部材２および第２紐状部材３がそれぞれ１本の紐により構成されているが、本発明はこれに限定されるものではなく、例えば、第１紐状部材２および第２紐状部材３を、それぞれの一端部が連結された１本の紐により構成してもよい。
【００１９】
両紐状部材２、３は、ともに２つ折りの状態とされており、２つ折り状態の両紐状部材２、３の中間部分は、中間束部材としてのコードストッパ５の孔５ａに挿通されている。これにより、コードストッパ５には、４本の紐が挿通されることとなり、コードストッパ５は、２つ折り状態の両紐状部材２、３を束ねて保持するようになっている。そして、コードストッパ５の一端側には、両紐状部材２、３の輪状部分７がそれぞれ配置され、コードストッパ５の他端側には、両紐状部材２、３の両端部分８がそれぞれ配置されることとなる。
【００２０】
コードストッパ５には、固定解除ボタン５ｂが設けられており、固定解除ボタン５ｂが押圧されていない状態では、コードストッパ５における両紐状部材２、３の保持位置は固定され、固定解除ボタン５ｂを押圧した状態では、コードストッパ５における両紐状部材２、３の保持位置が両紐状部材２、３の長手方向に移動可能とされており、これにより、コードストッパ５は、両紐状部材２、３の保持位置を移動可能に保持している。なお、本実施形態においては中間束部材としてコードストッパ５を用いているが、本発明はこれに限定されるものではなく、両紐状部材２、３の保持位置を移動可能に保持する部材であればよい。
【００２１】
輪状部分７の第１紐状部材２および第２紐状部材３は、輪状部束部材としての２つの環状部材１０の孔１０ａに挿通されている。これにより、両環状部材１０には、２本の紐がそれぞれ挿通されることとなり、両環状部材１０は、輪状部分７の第１紐状部材２および第２紐状部材３を束ねて両紐状部材２、３の保持位置を保持するようになっている。また、両紐状部材２、３の輪状部分７における両環状部材１０の間は、第１紐状部材２および第２紐状部材３を離して配置させることにより、第１紐状部材２および第２紐状部材３によって輪が構成されるようになっている。なお、本実施形態においては、輪状部側部材として環状部材を用いているが、本発明はこれに限定されるものではなく、両紐状部材２、３の保持位置を移動可能に保持する部材であればよい。
【００２２】
両環状部材１０の孔１０ａは、２本の紐状部材が少しの余裕をもって挿通される大きさとされており、これにより、両環状部材１０は、輪状部分７における第１紐状部材２および第２紐状部材３の保持位置を両紐状部材２、３の長手方向に移動可能に保持するようになっている。
【００２３】
両紐状部材２、３の両端部分８には、保持部材として例えば帽子ＨのクラウンＨａ、つばＨｂ、バックベルト（図示せず）、また服の襟Ｎ等を挟持可能なクリップ１３が取り付けられている。クリップ１３は、取付用孔１３ａを備えており、取付用孔１３ａには、両紐状部材２、３の両端部分８、すなわち４本の紐が挿通されており、これにより、クリップ１３は両紐状部材２、３の両端部分８をまとめて束ねるように取り付けられている。なお、本発明に係る多機能帽子用留め具１におけるクリップ１３の取り付け方は本実施形態に限定されるものではなく、クリップ１３は、両紐状部材２、３のうち少なくとも１本の紐状部材２、３に取り付けられていればよい。
【００２４】
また、両紐状部材２、３の両端部分８には、第１紐状部材２および第２紐状部材３の一端部をまとめて保持する端部束部材１２、および第１紐状部材２および第２紐状部材３の他端部をまとめて保持する端部束部材１２がそれぞれ取り付けられている。これらの端部束部材１２により、両紐状部材２、３の両端部分８からコードストッパ５やクリップ１３が外れてしまうことを防止することができる。なお、本発明に係る多機能帽子用留め具１において端部束部材１２を取り付ける際の第１紐状部材２および第２紐状部材３のまとめ方は本実施形態に限定されるものではなく、例えば、第１紐状部材２および第２紐状部材３の両端部、すなわち４本の紐をまとめて保持するように取り付けてもよく、また、４本の紐の各端部にそれぞれ取り付けてもよい。また、クリップ１３を端部束部材として機能するように取り付けてもよい。
【００２５】
続いて、本実施形態に係る多機能帽子用留め具１の使用態様について、図２乃至図５を用いて説明する。
【００２６】
図２は、本実施形態に係る多機能帽子用留め具１の第１の使用態様を示す概説図である。図２に示すように、多機能帽子用留め具１の両紐状部材２、３における両環状部材１０の間に第１紐状部材２および第２紐状部材３によって形成される輪が、帽子ＨのサイドクラウンＨａにおいて円周方向に沿って嵌るように、両環状部材１０を移動させながら両環状部材１０の保持位置を決定する。続いて、帽子Ｈを頭部に装着した状態で、両紐状部材２、３における両環状部材１０とコードストッパ５との間の部分が顔の側面に位置し、コードストッパ５が下顎に接するようにコードストッパ５を移動させながらコードストッパ５の保持位置を決定する。本実施形態に係る多機能帽子用留め具１を第１の使用態様のように用いることにより、例えば強風の時であっても、帽子Ｈが頭部から脱げてしまうことを防止することができる。なお、図２においては、クラウンＨａの外周縁の全周につばＨｂが形成されたハットに用いているが、つばＨｂを備えた帽子Ｈであれば、例えば、つばＨｂがクラウンＨａの外周縁の前面のみに形成されたキャップ等にも用いることができる。
【００２７】
図３は、本実施形態に係る多機能帽子用留め具１の第２の使用態様を示す概説図である。図３に示すように、両紐状部材２、３の両端部分８が後方に位置するように両紐状部材２、３の輪状部分７を首に掛け、クリップ１３によって帽子ＨのつばＨｂの端縁や、例えばキャップ等に用いる場合にはサイドクラウンＨａの端縁等を挟持する。例えば弱風の時に、この第２の使用態様のように使用することにより、多機能帽子用留め具１は、帽子Ｈが遠くに吹き飛ばされることを防止することができる。また、本第２の使用態様において、両紐状部材２、３の輪状部分７における両環状部材１０の間の第１紐状部材２と第２紐状部材３との間に眼鏡のつるの一方を通し、両環状部材１０を移動させてこれら両環状部材１０によってこの眼鏡のつるを挟持して眼鏡を保持することもできる。
【００２８】
図４は、本実施形態に係る多機能帽子用留め具１の第３の使用態様を示す概説図である。図４に示すように、両紐状部材２、３における輪状部分７が、帽子ＨのサイドクラウンＨａにおいて円周方向に沿って嵌るように、コードストッパ５を移動させながらコードストッパ５の保持位置を決定し、クリップ１３によって帽子ＨのつばＨｂの端縁等を挟持する。この第３の使用態様のように用いることにより、無風状態の時には、多機能帽子用留め具１を帽子Ｈの飾りとして利用することも可能である。さらに、両紐状部材２、３の寸法が長い場合には、クリップ１３によって襟Ｎ等を挟持することができる。このように使用することにより、両紐状部材２、３の輪状部分によって帽子ＨサイドクラウンＨａが保持されているので、弱風の時に、帽子Ｈが遠くに吹き飛ばされることを防止することができる。
【００２９】
さらに、図５は、本実施形態に係る多機能帽子用留め具１の第４の使用態様を示す概説図であり、図５に示すように、両紐状部材２、３の両端部分８が前方に位置するように両紐状部材２、３の輪状部分７を首に掛け、クリップ１３によりネームプレート等の任意のものを挟持することができる。このクリップ１３によってネームプレート等を確実挟持するため、クリップ１３の挟持部には滑り止めが施されていてもよい。このようなこの第４の使用態様のように用いることにより、無風状態の時には、本多機能帽子用留め具１をホルダとして用いることも可能である。
【００３０】
また、図６に示すように、前述の第１および第４の使用態様において、両紐状部材２、３の両端部分８におけるコードストッパ５とクリップ１３間の両紐状部材２、３の一端部と他端部との間に、例えば、眼鏡のつるの一方を通し、コードストッパ５を移動させてコードストッパ５とクリップ１３とによってこの眼鏡のつるを挟持して眼鏡を保持することもできる。また、眼鏡の他、携帯電話に装着されたストラップや時計等任意のものを両紐状部材２、３の両端部分８におけるコードストッパ５とクリップ１３間の両紐状部材２、３の一端部と他端部との間に通し、コードストッパ５とクリップ１３によって挟持することができる。
【００３１】
本実施形態によれば、両環状部材１０を移動させて両環状部材１０の間の輪の大きさを調整することにより、任意の帽子Ｈに装着することができる。また、コードストッパ５を移動させて両紐状部材２、３の輪状部分７の大きさを調整することにより、コードストッパ５が下顎に接するように位置させたり、輪状部分７を首に掛けたり、任意の帽子Ｈに装着することができる。さらに、クリップ１３によって任意の帽子ＨのクラウンＨａ等を挟持することができる。
【００３２】
したがって、本実施形態に係る多機能帽子用留め具１は、大きさや形状等が異なる種々の任意の帽子Ｈに利用可能であり、かつ、前述の第２の使用態様のように用いることにより帽子Ｈが遠くに吹き飛んでしまうことを防止するだけでなく、第１の使用態様のように用いることにより、強風の時であっても帽子Ｈが脱げてしまうことも防止することができる。さらに、前述の第４の使用態様のように、多機能帽子用留め具１としての機能のみではなく、ホルダとして用いたり、さらには、例えば、コードストッパ５を移動させて両紐状部材２、３の輪状部分７の大きさを調整することにより、止血止めとして用いたり、さらには、コードストッパ５を装飾してループタイとして用いる等、種々の用途に利用することが可能である。
【００３３】
続いて、本発明における第２の実施形態について図７乃至図１０を用いて説明する。なお、第１の実施形態と同一の構成については詳説を省略し、同一の符号を用いて説明する。
【００３４】
図７に示すように、第２の実施形態に係る多機能帽子用留め具１においては、第１の実施形態における保持部材としてのクリップ１３を、第１保持部材としての第１クリップ１３とし、両紐状部材２、３における輪状部分７のうち１本の紐状部材には、第２保持部材として服の襟Ｎ等を挟持する第２クリップ１５が取り付けられている。本実施形態において、第２クリップ１５は、両紐状部材２、３の輪状部分７のうち１本の紐状部材における中央部に、取り外し可能に固定して取り付けられている。なお、本発明における第２保持部材の取り付け方は、本実施形態に限定されるものではなく、例えば、第２クリップ１５の孔に輪状部分７における１本の紐状部材を挿通させることにより移動可能に取り付けてもよい。
【００３５】
続いて、第２の実施形態に係る多機能帽子用留め具１の使用態様について、図８および図１０を用いて説明する。
【００３６】
図８に示すように、両紐状部材２、３の両端部分８が前方に位置するように両紐部材の両端部分８を首に掛け、第２クリップ１５によってサイドクラウンＨａ等を挟持することにより、弱風の時に、帽子Ｈが遠くに吹き飛ばされてしまうことを防止する留め具として用いることができる。さらに、第１クリップ１３によってネームプレート等を挟持することにより、多機能帽子用留め具１を、同時にホルダとして用いることができる。
【００３７】
さらにまた、図８に示すような使用状態において、強風になったときには、図９に示すように、両環状部材１０を第２クリップ１５から離間するように移動させ、両紐状部材２、３における両環状部材１０の間に第１紐状部材および第２紐状部材３によって形成される輪をサイドクラウンＨａにおける円周方向に嵌めて、両環状部材１０を移動させながら両環状部材の保持位置を決定する。続いて、帽子Ｈを頭部に装着した状態で、両紐状部材２、３における両環状部材１０とコードストッパ５との間の部分が顔の側面に位置し、コードストッパ５が下顎に接するようにコードストッパ５を移動させながらコードストッパ５の保持位置を決定する。これにより、強風の時であっても帽子Ｈが脱げてしまうことを防止することができる。
【００３８】
さらに、図１０に示すように、両クリップ１３、１５のうち任意の一方のクリップ１３、１５（本実施形態においては第１クリップ１３）によって、サイドクラウンＨａ等、また、例えばハット等の場合にはつばＨｂの端縁を挟持し、両クリップ１３、１５のうち他方のクリップ１３、１５（本実施形態においては第２クリップ１５）によって服の襟Ｎ等を挟持することにより、弱風の場合に帽子Ｈが遠くに吹き飛んでしまうことを防止することができる。
【００３９】
さらに、図１１に示すように、両クリップ１３、１５のうち一方のクリップ１３、１５（本実施形態においては第２クリップ１５）によって、鞄Ｂの開口端縁を挟持し、他方のクリップ１３、１５（本実施形態においては第１クリップ１３）によって例えば携帯電話Ｐに装着されたストラップＳ等を挟持する。または、両紐状部材２、３の両端部分８におけるコードストッパ５とクリップ１３間の両紐状部材２、３の一端部と他端部との間にストラップＳを通し、コードストッパ５を移動させてコードストッパ５とクリップ１３とによってストラップＳを挟持する。これにより、携帯電話Ｐ等が鞄Ｂの奥に入り込んで見つからない場合であっても、携帯電話Ｐは多機能帽子用留め具１に挟持されているので、多機能帽子用留め具１を手繰ることによって容易に鞄Ｂの中の携帯電話Ｐを探し出すことができる。
【００４０】
第２の実施形態によっても、大きさや形状等が異なる種々の任意の帽子Ｈに利用可能であり、帽子Ｈが遠くに吹き飛んでしまうことを防止することができるとともに、強風の時であっても、帽子Ｈが脱げてしまうことも防止でき、かつ、ホルダとして用いることもできる。
【００４１】
また、第２クリップ１５を輪状部分７における１本の紐状部材の中央部に固定して取り付けることにより、図８乃至図１１のように使用する場合において第２クリップ１５の位置決めの容易化を図ることができる。
【００４２】
さらに、第２クリップ１５を取り外し可能に取り付けることにより、第２クリップ１５を使用しないときには第２クリップ１５を取り外して多機能帽子用留め具１を使用することができる。
【００４３】
なお、本発明は前記各実施形態に限定されるものではなく、必要に応じて種々変更することが可能である。
【００４４】
例えば、第１紐状部材２および第２紐状部材３の長さを、小型のアジャスターバックル等を用いて調節することができるようにしてもよい。
【符号の説明】
【００４５】
１  多機能帽子用留め具
２  第１紐状部材
３  第２紐状部材
５  コードストッパ
７  輪状部分
８  両端部分
１０  環状部材
１２  端部束部材
１３  クリップ
【図１】
2011106062.tif 000003
【図２】
2011106062.tif 000004
【図３】
2011106062.tif 000005
【図４】
2011106062.tif 000006
【図５】
2011106062.tif 000007
【図６】
2011106062.tif 000008
【図７】
2011106062.tif 000009
【図８】
2011106062.tif 000010
【図９】
2011106062.tif 000011
【図１０】
2011106062.tif 000012
【図１１】
2011106062.tif 000013